(57)【要約】【課題】駐車時間の長短に拘わらず、車室内の空気浄化が図れ、搭乗する際の車室内の快適性を向上させることができる車両用空気浄化装置を提供する。【解決手段】車両の前部と後部とに冷却器２Ａ，２Ｂを有する空調ユニット２と車室の上部に空気浄化ユニット１とを備えている車両用空気浄化装置が、各々の冷却器に組み込まれた空気浄化手段３と、車両の駐車時間が所定の時間以上であるときは、空気浄化ユニットのみを作動させ、駐車時間が所定の時間よりは短いときは、空気浄化ユニットは作動させず、空調ユニットを作動させる制御手段とを具備している。【選択図】　　　図１
2004122843.tif 000002
【特許請求の範囲】
【請求項１】
空調用送風機（４）を有する空調ユニット（２）と、
車室内空気を浄化する第１の空気浄化手段（１２）および空気浄化用送風機（１１）を有する空気浄化ユニット（１）と、
車両の駐車時間が所定の時間以上であるときは、前記空調用送風機（４）を停止して前記空気浄化用送風機（１１）を作動させ、前記駐車時間が所定の時間より短いときは、前記空調用送風機（４）を作動させる制御手段と、
を具備していることを特徴とする車両用空気浄化装置。
【請求項２】
前記所定の時間が３時間であることを特徴とする請求項１に記載の車両用空気浄化装置。
【請求項３】
前記所定の時間が、車両のエンジンの停止中に前記空調ユニットを作動させるバッテリの負荷に基づいて決めることを特徴とする請求項１に記載の車両用空気浄化装置。
【請求項４】
前記空調ユニット（２）には、前記第１の空気浄化手段（１２）とは異なる第２の空気浄化手段（３）を具備することを特徴とする請求項１〜３のいずれか一項に記載の車両用空気浄化装置。
【請求項５】
前記空気浄化ユニットが、フィルタに加えてマイナスイオン発生器又はプラズマクラスタ発生器等の放出型浄化ユニットをも含んでいることを特徴とする請求項１〜４のいずれか一項に記載の車両用空気浄化装置。
【発明の詳細な説明】
【０００１】
【発明の属する技術分野】
本発明は車両用空気浄化装置に関し、特に駐車中の車両の車室内の空気の浄化を可能にした車両用空気浄化装置に関する。
【０００２】
【従来の技術】
従来、自動車の車室内の空気を清浄にするため空調装置の内部に空気清浄器が設けられているものがある。この場合、車室内の空気を清浄化するためには、搭乗員が車両に搭乗後、エンジンスタートと同時か、またはそれ以降に空気清浄器を作動させて車室内の清浄化を行なっていた。
【０００３】
この従来の空気清浄器では、その作動がイグニションキーに連動しているため、乗員が車両に搭乗後、エンジンスタートと同時か、またはそれ以降にしか空気清浄器を作動させることができなかった。そのため、乗員が車両に乗車後、車室内の空気が清浄化されるまでの間、乗員は好ましくない環境に置かれることになるという問題があった。
【０００４】
そこで本出願人は、特願２００２−８６２６２号において、乗員が車両に搭乗する前に、予め車室内の空気を清浄化することができる車両用空気清浄器を提案している。この車両用空気清浄器には、サブバッテリが設けられていて、このサブバッテリで駐車中において空気清浄器を作動させて、車室内の空気を浄化するようにしたものである。
【０００５】
しかしながら、この先行技術の車両用空気清浄器は、駐車中に空気清浄器のみをサブバッテリで作動させるようにしているため、空気の浄化能力が弱く、例えば、買い物、食事などの駐車時間が２〜３時間程度の短かい場合においては、車室内の空気の浄化が充分に得られないという問題があった。
【０００６】
【発明が解決しようとする課題】
本発明は、上記問題に鑑みてなされたもので、その目的は、車両の駐車時間の長短に拘わらず、車室内の空気の浄化を図ることができ、搭乗する際の車室内空間の快適性を向上させることができる車両用空気浄化装置を提供することである。
【０００７】
【課題を解決するための手段】
本発明は、前記課題を解決するための手段として、特許請求の範囲の各請求項に記載の車両用空気浄化装置を提供する。
請求項１に記載の車両用空気浄化装置は、空調用送風機（４）を有する空調ユニット（２）と、車室内空気を浄化する空気浄化ユニット（１）とを組み込んでいて、駐車時間が所定の時間以上であるときは、空調用送風機（４）を停止して空気浄化用送風機（１１）を作動し、所定の時間より短いときは、空調用送風機（４）を作動させるようにしたものであり、これにより、駐車中における車両用空気浄化装置の浄化（換気）能力を変えることができ、短時間の駐車においても、車室内の空気の浄化を充分に行うことができる。
【０００８】
請求項２の車両用空気浄化装置は、所定の時間を３時間と決めたものであり、これは、食事や買い物等を行うのに丁度良い時間である。
請求項３の車両用空気浄化装置は、所定の時間を空調ユニットを作動させるバッテリの負荷に基づいて決めるものであり、これによって、エンジンのスタート時に使用するバッテリの過放電を防止できる。
【０００９】
請求項４の車両用空気浄化装置は、空調ユニット（２）に第１の空気浄化手段（１２）とは異なる第２の空気浄化手段（３）を具備することを特定したものである。
請求項５の車両用空気浄化装置は、空気浄化ユニットが、フィルタに加えて放出型浄化ユニットを有しているものであり、これにより、空気中に陰イオンを供給することができ、車室内を健康的で、快適な環境にすることができる。
【００１０】
【発明の実施の形態】
以下、図面に従って本発明の実施の形態の車両用空気浄化装置について説明する。図１は、本発明の車両用空気浄化装置の概念図を示している。車両用空気浄化装置は、車室内の上部の天井に設置された空気浄化ユニット１と、車両の前部に配置された第１の冷却器２Ａと車両の後部に配置された第２の冷却器２Ｂと、第２の空気浄化手段３及びブロワ（空調用送風機）４を含む空調ユニット２等から構成されている。
【００１１】
図２は、空気浄化ユニット１の全体構成を示す斜視図である。空気浄化ユニット１は、ケース１０と、送風ファン（空気浄化用送風機）１１と、第１の空気浄化手段であるフィルタ１２と放出型浄化ユニット１３及びサブバッテリ１４とを具備している。ケース１０は箱状をなし、前方が開放されて清浄空気放出口１０ａとなり、後方上面に空気取入口１０ｂが設けられている。空気取入口１０ｂには、送風ファン１１と該送風ファン１１を駆動するモータ１５とが設けられている。
【００１２】
ケース１０内には、送風ファン１１の下流側にフィルタ１２が配置され、更にその下流側に放出型浄化ユニット１３とサブバッテリ１４とが配置されている。送風ファン１１を駆動するモータ１５は、サブバッテリ１４で駆動可能な消費電力の小さな、例えば入力１ｗ程度、のものが使用される。このようにして、送風ファン１１によって空気取入口１０ｂから取り入れられた空気は、フィルタ１２及び放出型浄化ユニット１３を通って清浄空気放出口１０ａから車室内に放出される。
【００１３】
フィルタ１２は、例えば酸化チタンのように、アルデヒドのような人体に有害な有機化合物を水や炭酸ガスのような無害なものに変える触媒を濾紙に塗布した触媒フィルタが用いられ、空気との界面の浄化を行うようになっている。なお、脱臭フィルタや除塵フィルタを配設してもよい。
放出型浄化ユニット１３は、サブバッテリ１４によって作動し、マイナスイオン発生器やプラズマクラスタ発生器等のように電気回路によって高電圧を発生させ、その高電圧を大気中に印加することにより空間に高電圧を生ぜしめ、荷電粒子を作り出すことによって、その荷電粒子の除塵作用・化学分解作用・殺菌作用によって浄化を行うようになっている。
【００１４】
空気浄化ユニット１の送風ファン１１のモータ１５及び放電型浄化ユニット１３とを作動させるサブバッテリ１４は、完全充電により、これらを少なくともかなりの時間駆動させることができる性能を有するものである。また、放出型浄化ユニット１３には、必要に応じ０Ｎ−ＯＦＦできるようにスイッチが設けられている。なお、このサブバッテリ１４は、車両のエンジンが作動中に、このエンジンによって充電できるようにしてもよい。
【００１５】
空調ユニット２の第１の冷却器２Ａと第２の冷却器２Ｂには、それぞれ第２の空気浄化手段３が組み込まれており、これらの第２の空気浄化手段３は、除塵フィルタ又は脱臭フィルタ或いはこの両者を有したものである。除塵フィルタは、ひだ折りした不織布よりなり空気中の塵、埃等を捕捉、除去し、脱臭フィルタは、ハニカム担体に添付された活性炭よりなり空気中の臭いを除去する。
空調ユニット２は、デュアル型又はツイン型であり、１つの冷凍サイクル中に第１の冷却器２Ａと第２の冷却器２Ｂが組み込まれているか、又は第１の冷却器２Ａと第２の冷却器２Ｂとがそれぞれ独立した冷凍サイクル中に組み込まれているものでもよい。いずれにしても、この空調ユニット２は運転中はエンジンによって駆動され、エンジンの停止中は車両に搭載されたバッテリ（図示せず）によって空調ユニット２のブロア４のみを作動する。
【００１６】
更に本発明の車両用空気浄化装置には、車両が駐車中に、空気浄化ユニット１と空調ユニット２の作動を制御する制御手段である、タイマーを含む制御装置（図示せず）が設けられている。
【００１７】
図３は、本発明の車両用空気浄化装置のフローチャートである。以下に上記のように構成された車両用空気浄化装置の作動を、図３のフローチャートを使用して説明する。まず、ステップＳ１で車両の駐車中に行う車両用空気浄化装置の作動時間又は運転者が予め車に戻る時間をタイマでセットする。ステップＳ２では、セットした時間が、所定の時間以上か或いはそれよりも短いかを判定する。セットした時間が所定の時間より短い場合には、ステップＳ３に移り、車両に搭載したバッテリの電圧を判定する。このバッテリの電圧が十分である場合は、ステップＳ４に移り、空調ユニット２のブロワ４をこのバッテリを使用して駆動し、車室内の急速換気（浄化）を図る。次にステップＳ６に移り、乗員乗降用のドアがオープンしたか否かを判定する。ここでオープンしたと判定されたら、乗員が乗車したとみなして、次のステップＳ７に移って車両用空気浄化装置のブロワ４の作動を停止し、オープンしていないと判定されたらステップＳ１に戻る。
【００１８】
ステップＳ２において、セットした時間が所定の時間以上である場合には、ステップＳ５に移り、空気浄化ユニット１の送風ファン１１のモータ１５を駆動する。この場合、必要に応じて放出型浄化ユニット１３の作動も行う。この空気浄化ユニット１の送風ファン１１は、小型であるのでかなりの時間、例えば翌朝まで運転することができる。その後、ステップＳ６、ステップＳ７の処理を行う。
【００１９】
このように、本発明の車両用空気浄化装置においては、駐車中にその駐車時間の長短により、空気浄化システムの換気（浄化）能力を変更することができ、駐車後に乗員が車両に搭乗する際の車室内を常に快適な状態にすることができる。
なお、所定の時間として、食事や買い物等をすませることができる３時間として設定することもできるし、また、車両に搭載されたバッテリの負荷を考慮して決めることもできる。また、上記のフローチャートは、車両用空気浄化装置の作動形態の一例であり、短時間の駐車において、空調ユニットと空気浄化ユニットの両者を作動させるようにしてもよい。更に、空調ユニットが前部又は後部のみにしか冷却器を有しないものにおいても、本発明は適用可能である。
【図面の簡単な説明】
【図１】本発明の実施の形態の車両用空気浄化装置の概念図である。
【図２】本発明の車両用空気浄化装置の空気浄化ユニットの全体構成を示す斜視図である。
【図３】本発明の実施の形態の車両用空気浄化装置の作動を説明するフローチャートである。
【符号の説明】
１…空気浄化ユニット
１１…送風ファン（空気浄化用送風機）
１２…フィルタ（第１の空気浄化手段）
１３…放出型浄化ユニット（第１の空気浄化手段）
１４…サブバッテリ
１５…モータ
２Ａ，２Ｂ…第１、第２の冷却器
３…第２の空気浄化手段
４…ブロワ（空調用送風機）
【図１】
2004122843.tif 000003
【図２】
2004122843.tif 000004
【図３】
2004122843.tif 000005